(57)【要約】  本発明は、セキュリティ識別子通信方法を提供する。セキュリティ通信を実行し、それによってユーザが無線通信を使用する際の一定のプライバシー保護を改善するために、第1のステーションと第2のステーションとの間の通信のためのフレームは全て、2つのステーションの実MACアドレスを隠蔽または省略しているが、第1のリンク番号を使用することによって2つのステーションの識別子を識別している。
2015519784.tif 000002
【特許請求の範囲】
【請求項１】
セキュリティ通信方法であって、
第1のステーションが、第1の媒体アクセス制御(MAC)フレームを第2のステーションに送信するステップであって、前記第1のMACフレームが第1のリンク番号および指示フィールドを搬送し、前記第1のリンク番号が前記第1のステーションおよび前記第2のステーションの前記識別子を識別するために使用され、前記指示フィールドは前記第1のMACフレームが前記第1のリンク番号を搬送していることを示す、ステップを含む、ことを特徴とする方法。
【請求項２】
前記第1のステーションが、前記第2のステーションによって送信された第2のMACフレームを受信するステップであって、前記第2のMACフレームが第2のリンク番号および指示フィールドを搬送し、前記第2のリンク番号が前記第1のステーションおよび前記第2のステーションの前記識別子を識別するために使用され、前記指示フィールドは前記第2のMACフレームが前記第2のリンク番号を搬送していることを示す、ステップ
をさらに含む、ことを特徴とする請求項1に記載の方法。
【請求項３】
前記第1のリンク番号が、前記第1のステーションと前記第2のステーションとの間のリンクのために前記第1のステーションによって割り当てられ、または前記第2のステーションと前記第1のステーションとの間のリンクのために前記第2のステーションによって割り当てられ、または前記第1のステーションと前記第2のステーションとの間のリンクのために第3のステーションによって割り当てられる、ことを特徴とする請求項1または2に記載の方法。
【請求項４】
前記第2のリンク番号が前記第1のリンク番号と同一である、または、前記第2のリンク番号が前記第1のリンク番号の特定位置の前記数値を変更することによって得られる、ことを特徴とする請求項2に記載の方法。
【請求項５】
前記指示フィールドが、前記第1のMACフレームおよび/または前記第2のMACフレームのアドレスフィールドであり、前記指示フィールドが特定値に設定されている場合、前記指示フィールドは前記第1のMACフレームおよび/または前記第2のMACフレームが前記第1のリンク番号を搬送していることを示す、ことを特徴とする請求項1または2に記載の方法。
【請求項６】
前記第1のMACフレームおよび/または前記第2のMACフレームがパケット化された伝送内容(ペイロード)を搬送し、前記ペイロードが固有のデータ内容またはパケット化されたフレーム本体を含む、ことを特徴とする請求項1または2に記載の方法。
【請求項７】
セキュリティ通信方法であって、
第2のステーションが、第1のステーションによって送信された第1の媒体アクセス制御(MAC)フレームを受信するステップであって、前記第1のMACフレームが第1のリンク番号および指示フィールドを搬送し、前記第1のリンク番号が前記第1のステーションおよび前記第2のステーションの前記識別子を識別するために使用され、前記指示フィールドは前記第1のMACフレームが前記第1のリンク番号を搬送していることを示す、ステップと、
前記第2のステーションが、第2のMACフレームを前記第1のステーションに送信するステップであって、前記第2のMACフレームが第2のリンク番号および指示フィールドを搬送し、前記第2のリンク番号が前記第1のステーションおよび前記第2のステーションの前記識別子を識別するために使用され、前記指示フィールドは前記第2のMACフレームが前記第2のリンク番号を搬送していることを示す、ステップとを含む、ことを特徴とする方法。
【請求項８】
前記第1のリンク番号が、前記第1のステーションと前記第2のステーションとの間のリンクのために前記第1のステーションによって割り当てられ、または前記第2のステーションと前記第1のステーションとの間のリンクのために前記第2のステーションによって割り当てられ、または前記第1のステーションと前記第2のステーションとの間のリンクのために第3のステーションによって割り当てられる、ことを特徴とする請求項7に記載の方法。
【請求項９】
前記第2のリンク番号が前記第1のリンク番号と同一である、または、前記第2のリンク番号が前記第1のリンク番号の特定位置の前記数値を変更することによって得られる、ことを特徴とする請求項7に記載の方法。
【請求項１０】
前記指示フィールドが、前記第1のMACフレームおよび/または前記第2のMACフレームのアドレスフィールドであり、前記指示フィールドが特定値に設定されている場合、前記指示フィールドは前記第1のMACフレームおよび/または前記第2のMACフレームが前記第1のリンク番号を搬送していることを示す、ことを特徴とする請求項7に記載の方法。
【請求項１１】
前記第1のMACフレームおよび/または前記第2のMACフレームがパケット化された伝送内容(ペイロード)が搬送し、前記ペイロードが固有のデータ内容またはパケット化されたフレーム本体を含む、ことを特徴とする請求項7に記載の方法。
【請求項１２】
第1の媒体アクセス制御(MAC)フレームを第2のステーションに送信するように構成される送信モジュールであって、前記第1のMACフレームが第1のリンク番号および指示フィールドを搬送し、前記第1のリンク番号が前記第1のステーションおよび前記第2のステーションの前記識別子を識別するために使用され、前記指示フィールドは前記第1のMACフレームが前記第1のリンク番号を搬送していることを示す、送信モジュールと、
前記第2のステーションによって送信された第2のMACフレームを受信するように構成される受信モジュールであって、前記第2のMACフレームが第2のリンク番号および指示フィールドを搬送し、前記第2のリンク番号が前記第1のステーションおよび前記第2のステーションの前記識別子を識別するために使用され、前記指示フィールドは前記第2のMACフレームが前記第2のリンク番号を搬送していることを示す、受信モジュールと
を含む、ことを特徴とするセキュリティ識別子通信ための第1のステーション。
【請求項１３】
前記第1のステーションが、割り当てモジュールであって、前記第1のステーションと前記第2のステーションとの間のリンクのために前記第1のステーションが前記第1のリンク番号を割り当てることができるように構成される、割り当てモジュールをさらに含む、ことを特徴とする請求項12に記載の第1のステーション。
【請求項１４】
前記第2のリンク番号が前記第1のリンク番号と同一である、または、前記第2のリンク番号が前記第1のリンク番号の特定位置の前記数値を変更することによって得られる、ことを特徴とする請求項12に記載の第1のステーション。
【請求項１５】
前記指示フィールドが、前記第1のMACフレームおよび/または前記第2のMACフレームのアドレスフィールドであり、前記指示フィールドが特定値に設定されている場合、前記指示フィールドは前記第1のMACフレームおよび/または前記第2のMACフレームが前記第1のリンク番号を搬送していることを示す、ことを特徴とする請求項14に記載の第1のステーション。
【請求項１６】
前記第1のMACフレームおよび/または前記第2のMACフレームがパケット化された伝送内容(ペイロード)を搬送し、前記ペイロードが固有のデータ内容またはパケット化されたフレーム本体を含む、ことを特徴とする請求項14に記載の第1のステーション。
【請求項１７】
第1のステーションによって送信された第1の媒体アクセス制御(MAC)フレームを受信するように構成される受信モジュールであって、前記第1のMACフレームが第1のリンク番号および指示フィールドを搬送し、前記第1のリンク番号が前記第1のステーションおよび前記第2のステーションの前記識別子を識別するために使用され、前記指示フィールドは前記第1のMACフレームが前記第1のリンク番号を搬送していることを示す、受信モジュールと、
第2のMACフレームを前記第1のステーションに送信するように構成される送信モジュールであって、前記第2のMACフレームが第2のリンク番号および指示フィールドを搬送し、前記第2のリンク番号が前記第1のステーションおよび前記第2のステーションの前記識別子を識別するために使用され、前記指示フィールドは前記第2のMACフレームが前記第2のリンク番号を搬送していることを示す、送信モジュールと
を含む、ことを特徴とするセキュリティ識別子通信のための第2のステーション。
【請求項１８】
前記第2のステーションが、割り当てモジュールであって、前記第2のステーションと前記第1のステーションとの間のリンクのために前記第2のステーションが前記第1のリンク番号を割り当てることができるように構成される、割り当てモジュールをさらに含む、ことを特徴とする請求項17に記載の第2のステーション。
【請求項１９】
前記第2のリンク番号が前記第1のリンク番号と同一である、または、前記第2のリンク番号が前記第1のリンク番号の特定位置の前記数値を変更することによって得られる、ことを特徴とする請求項17に記載の第2のステーション。
【請求項２０】
前記指示フィールドが、前記第1のMACフレームおよび/または前記第2のMACフレームのアドレスフィールドであり、前記指示フィールドが特定値に設定されている場合、前記指示フィールドは前記第1のMACフレームおよび/または前記第2のMACフレームが前記第1のリンク番号を搬送していることを示す、ことを特徴とする請求項19に記載の第2のステーション。
【請求項２１】
前記第1のMACフレームおよび/または前記第2のMACフレームがパケット化された伝送内容(ペイロード)を搬送し、前記ペイロードが固有のデータ内容またはパケット化されたフレーム本体を含む、ことを特徴とする請求項19に記載の第2のステーション。
【請求項２２】
請求項12に記載の前記第1のステーションと、請求項17に記載の前記第2のステーションとを含む、ことを特徴とするセキュリティ識別子通信システム。
【発明の詳細な説明】
【技術分野】
【０００１】
本発明は、無線通信ネットワークに関する、特に、セキュリティ識別子発見方法およびセキュリティ通信方法に関する。
【０００２】
本出願は、参照により本明細書にその全体を組み込まれる、「SECURITY IDENTITY DISCOVERY METHOD」と題する2012年4月11日に中国特許庁に出願された中国特許出願第201210104823.X号の優先権を主張する。
【背景技術】
【０００３】
802.11は、IEEE(Institute of Electrical and Electronics Engineers、アイ・トリプル・イー)によって策定された無線ローカルエリアネットワーク標準であり、802.11は、オフィスのローカルエリアネットワークおよび構内ネットワークにおける、ユーザおよびユーザ端末の無線アクセスを解決するために主に使用されている。
【０００４】
IEEE 802.11技術は、無線ローカルエリアネットワークの構築を標準化するために、複数のPHY(Physical Layer、物理レイヤ)のための汎用的なMAC(Medium Access Control、媒体アクセス制御)レイヤを策定するように構成されている。ここで、媒体アクセス制御レイヤ(MAC)の主なタスクは、複数のステーション間の通信を可能とするために、同一のネットワーク内の複数のステーションのためのアドレス指定およびチャネルアクセス制御機構を確立することである。
【０００５】
WLAN(Wireless Local Area Networks、無線ローカルエリアネットワーク)の必須コンポーネントは、特定のサービスエリア、例えば、図1に示すようなBSS2およびBSS3、内に、なんらかのアソシエーションを有するステーションSTAからなる、BSS(Basic Service Set、基本サービスセット)である。BSSネットワークにおいては、BSSについて常時管理を行う中央ステーションは、AP(Access Point、アクセスポイント)と称され、そのネットワーク内の他のステーションSTAが、APに関連付けられる。複数のBSSネットワークは、ESS(Extended Service Set、拡張サービスセット)を形成するためにDSを介して相互に接続されている。APがなくとも、ステーションSTAは、自己ネットワーク化することによって相互直接通信を確立してもよい、そのネットワークは、独立BSSまたはIBSS、すなわち、図1に示すようなBSS1である。
【０００６】
NAN(Neighborhood Area Network、近隣エリアネットワーク)は、2011年12月にWFAによって設立されたプロジェクトグループであり、転送装置(APまたは基地局など)の支援がなくても、低エネルギー消費の条件下の、プレアソシエーション状態の、直接接続様式において、情報を相互に獲得する無線装置に専心している。次の3つの要件、1．低電力消費(エネルギー節約)、2．転送装置無し且つ直接接続、3．プレアソシエーション状態(クラス1情報の送信のみが実行され得る)が、主に搬送される。ここで、クラス1情報は、フレーム(制御フレーム)、Managementフレーム(管理フレーム)、およびDataフレーム(データフレーム)を搬送する。
【０００７】
NAN技術においては、ステーションの相互発見は、ビーコンフレームをブロードキャストすることによって、主に実現されている。すなわち、ステーションは、周期的にブロードキャストするとともに、あるビーコンフレーム送信周期(値域は20msから1000msであり、プリセット値は100ms)に従って、開始ポイントとしてランダムイベントにより、あるチャネル上で自身の情報を搬送するビーコンフレームを送信する。その周辺ステーションは、ブロードキャストされたビーコンフレームの情報を受信し解釈することによって、ステーションのステーションおよび情報の存在について学習する。
【０００８】
ハードウェアアドレスとも称される、MACアドレスは、ネットワーク装置の位置を定義するように構成され、48ビット長の16進数字から構成される、そして、0番〜23番ビットはベンダー識別番号であり、ローカルエリアネットワークのノードを識別するために特徴づけられる、24番〜47番ビットはネットワーク装置製造者自身によって割り当てられる。第1のMACフレームのフォーマットを表1に示す。
【０００９】
【表１】
2015519784.tif 000003
【００１０】
ここで、アドレス1フィールドはフレームの直接受信するアドレスで満たされ、アドレス2フィールドはフレームの直接送信するアドレスで満たされ、フレーム本体フィールドはMACパケット(例えば、IPパケット)を介して送信される上位レイヤの内容が搭載される。MACアドレスは、MACレイヤの通信範囲内のステーションの一意な識別子であり、その結果、チャネルであるMACアドレスを搬送するビーコンフレームの発生を監視する際に、周辺ステーションが自身に周辺にあるMACアドレスに対応するステーションの存在を決定し得る。
【００１１】
ステーションによってブロードキャストされたビーコンフレームは、周辺の任意のステーションに受信されてもよい。また、キーネゴシエーションがプレアソシエーション(Pre-Association)状態のステーション間では実行されないので、ステーションは、自身がブロードキャストするビーコンフレームを暗号化することができない、その結果、ステーションがブロードキャストしている場所のビーコンフレームは周辺の任意のステーションによって解釈され場合があり、ビーコンフレームに搬送される自身のMACアドレス情報も周辺の任意のステーションによって学習され場合があり、MACアドレス情報の公開はステーションのユーザのプライバシーが無防備となる結果をもたらす。
【発明の概要】
【課題を解決するための手段】
【００１２】
本発明は、ステーションの通信中における一定のプライバシー保護を改善することを目的として、
第1のステーションが、第1の媒体アクセス制御(MAC)フレームを第2のステーションに送信するステップであって、第1のMACフレームが第1のリンク番号および指示フィールドを搬送し、第1のリンク番号が第1のステーションおよび第2のステーションの識別子を識別するために使用され、指示フィールドは第1のMACフレームが第1のリンク番号を搬送していることを示す、ステップを含むセキュリティ識別子通信方法を提供する。
【００１３】
本発明は、ステーションの通信中における一定のプライバシー保護を改善することを目的として、
第2のステーションが、第1のステーションによって送信された第1の媒体アクセス制御(MAC)フレームを受信するステップであって、第1のMACフレームが第1のリンク番号および指示フィールドを搬送し、第1のリンク番号が第1のステーションおよび第2のステーションの識別子を識別するために使用され、指示フィールドは第1のMACフレームが第1のリンク番号を搬送していることを示す、ステップと、
第2のステーションが、第2のMACフレームを第1のステーションに送信するステップであって、第2のMACフレームが第2のリンク番号および指示フィールドを搬送し、第2のリンク番号が第1のステーションおよび第2のステーションの識別子を識別するために使用され、指示フィールドは第2のMACフレームが第2のリンク番号を搬送していることを示す、ステップとを含むセキュリティ識別子通信方法をさらに提供する。
【００１４】
本発明は、
第1の媒体アクセス制御(MAC)フレームを第2のステーションに送信するように構成される送信モジュールであって、第1のMACフレームが第1のリンク番号および指示フィールドを搬送し、第1のリンク番号が第1のステーションおよび第2のステーションの識別子を識別するために使用され、指示フィールドは第1のMACフレームが第1のリンク番号を搬送していることを示す、送信モジュールと、
第2のステーションによって送信された第2のMACフレームを受信するように構成される受信モジュールであって、第2のMACフレームが第2のリンク番号および指示フィールドを搬送し、第2のリンク番号が第1のステーションおよび第2のステーションの識別子を識別するために使用され、指示フィールドは第2のMACフレームが第2のリンク番号を搬送していることを示す、受信モジュールとを含むセキュリティ識別子通信のための第1のステーションをさらに提供する。
【００１５】
本発明は、
第1のステーションによって送信された第1の媒体アクセス制御(MAC)フレームを受信するように構成される受信モジュールであって、第1のMACフレームが第1のリンク番号および指示フィールドを搬送し、第1のリンク番号が第1のステーションおよび第2のステーションの識別子を識別するために使用され、指示フィールドは第1のMACフレームが第1のリンク番号を搬送していることを示す、受信モジュールと、
第2のMACフレームを第1のステーションに送信するように構成される送信モジュールであって、第2のMACフレームが第2のリンク番号および指示フィールドを搬送し、第2のリンク番号が第1のステーションおよび第2のステーションの識別子を識別するために使用され、指示フィールドは第2のMACフレームが第2のリンク番号を搬送していることを示す、送信モジュールとを含むセキュリティ識別子通信のための第2のステーションをさらに提供する。
【００１６】
本発明によって提供されるセキュリティ識別子通信方法によれば、セキュリティ通信を実行し、それによってユーザが無線通信を使用する際の一定のプライバシー保護を改善するために、第1のステーションと第2のステーションとの間の通信のためのフレームは全て、2つのステーションの実MACアドレスを隠蔽または省略しているが、第1のリンク番号を使用することによって2つのステーションの識別子を識別している。
【図面の簡単な説明】
【００１７】
【図１】図1は、従来技術におけるWLANのIBSS、BSS、およびESSの概念図である。
【図２】図2は、本発明の実施形態によって提供されるセキュリティ識別子通信方法のフローチャートである。
【図３】図3は、本発明の実施形態によって提供されるセキュリティ識別子通信のための第1のステーションの構造図である。
【図４】図4は、本発明の実施形態によって提供されるセキュリティ識別子通信のための第2のステーションの構造図である。
【図５】図5は、本発明の実施形態によって提供されるセキュリティ識別子通信のためのシステムの構造図である。
【発明を実施するための形態】
【００１８】
当業者が本発明の技術的解決法がより理解できるように、本発明の実施形態における添付の図面と合わせて、本発明の実施形態の技術的解決法の明確かつ完全な記載を以下に示す。記載した実施形態は、本発明の実施形態の単なる一部に過ぎず、その全てではないことは明らかである。いかなる発明上の取り組みをせずに本発明の実施形態基づいて当業者によって得られる、他の実施形態の全ては、本発明の保護範囲に該当する。
【００１９】
本出願において、「システム」および「ネットワーク」という用語は、しばしば相互変換可能で使用される。本出願において、「および/または」という用語は、関連オブジェクトの相関関係の単なる記述であり、3つの可能な関係を表す、例えば、Aおよび/またはBは、Aのみの存在と、AおよびBの同時存在と、Bのみの存在とのうちの3つの状態を表す。加えて、本出願において、「/」という文字は、前後の関連オブジェクトの「or」関係を一般的に表す。
【００２０】
本発明の実施形態の技術的解決法は、例えば、GSM(登録商標)(Global System of Mobile communication、モバイル通信グローバルシステム)システム、CDMA(Code Division Multiple Access、符号分割多元接続)システム、WCDMA(登録商標)(Wideband Code Division Multiple Access、広帯域符号分割多元接続)システム、GPRS(General Packet Radio Service、汎用パケット無線サービス)、LTE(Long Term Evolution、ロング・ターム・エボリューション)システム、FDD-LTE(Frequency Division Duplex、周波数分割複信)システム、TDD-LTE(Time Division Duplex、時分割複信)、UMTS(Universal Mobile Telecommunication System、汎用モバイル電気通信システム)、WiMAX(Worldwide Interoperability for Microwave Access、ワイマックス)通信システム、マイクロ波通信システムなどの様々な通信システムに適用されてもよいことを理解されたい。
【００２１】
第1の実施形態
本発明の第1の実施形態はセキュリティ識別子通信方法を提供し、図2がその方法の概略フローチャートを示す。図2に示すように、方法は、以下のことを含む。
【００２２】
S201．第1のステーションが、自身と第2のステーションとの間のリンクのために第1のリンク番号を割り当てる。
【００２３】
好適な例として、第1のリンク番号が、自身と第1のステーションとの間のリンクのために第2のステーションに割り当てられてもよい。
【００２４】
好適な例として、第1のリンク番号が、第1のステーションと第2のステーションとの間のリンクのために第3のステーションによって割り当てられてもよい。
【００２５】
S202．第1のステーションが、第1のMACフレームを第2のステーションに送信する。
【００２６】
第1のMACフレームは、ステップS201において、自身と第2のステーションとの間のリンクのために第1のステーションによって割り当てられた、または自身と第1のステーションとの間のリンクのために第2のステーションによって割り当てられた、または第1のステーションと第2のステーションとの間のリンクのために第3のステーションによって割り当てられた、第1のリンク番号および指示フィールドを搬送し、ここで、第1のリンク番号は第1のステーションおよび第2のステーションの識別子を識別するように構成され、指示フィールドは第1のMACフレームが第1のリンク番号を搬送していることを示すように構成される。
【００２７】
第1のステーション、ブロードキャスト様式において、第1のMACフレームを複数の第2のステーションに送信してもよいし、第1のステーションおよび複数の第2のステーションの識別子を識別するために第1のリンク番号を使用してもよい。
【００２８】
好適な例として、第1のリンク番号が、第1のステーションと第2のステーションとの間のデータパケットのフロー方向を示す、すなわち、データパケットが第1のステーションによって第2のステーションに送信されていることを示すためにさらに使用される。
【００２９】
好適な例として、第1のステーションは、第1のリンク番号で第1のMACフレームのアドレス1フィールドを満たしてもよいし、例えば、全てが1である、指示フィールドでアドレス2フィールドを満たしてもよい、指示フィールドが特定値である場合、それは第1のリンク番号を搬送していることを示す。
【００３０】
第1のMACフレームは2つのステーションの実MACアドレスを隠蔽または省略しており、その結果、2つのステーションが通信をする場合、他のステーションは第1のMACフレームを受信するので、その実MACアドレスが公開されていないことに留意されたい。
【００３１】
好適な例として、第1のMACフレームのフレーム構造を表2に示す。
【００３２】
【表２】
2015519784.tif 000004
【００３３】
ここで、ペイロードは、パケット化された伝送内容である。ペイロードは固有のデータ内容またはパケット化されたフレーム本体であってもよいし、第1のMACフレームのアドレスビットは空または省略されている。
【００３４】
S203．第2のステーションが、第2のMACフレームを第1のステーションに送信する。
【００３５】
第2のMACフレームが第2のリンク番号および指示フィールドを搬送し、ここで、第2のリンク番号が2つのステーションの識別子を識別するために使用され、指示フィールドは第2のMACフレームが第2のリンク番号を搬送していることを示す。
【００３６】
第2のステーションは、第2のリンク番号で第2のMACフレームのアドレス1フィールドを満たしてもよいし、例えば、全てが1である、指示フィールドでアドレス2フィールドを満たしてもよい、指示フィールドが特定値である場合、それは第2のMACフレームが第2のリンク番号を搬送していることを示す。
【００３７】
第2のMACフレームは2つのステーションの実MACアドレスを隠蔽または省略しており、その結果、2つのステーションが通信をする場合、他のステーションは第2のMACフレームを受信するので、その実MACアドレスが公開されていないことに留意されたい。
【００３８】
好適な例として、ペイロードがパケット化された伝送内容である、第2のMACフレームのフレーム構造を表2に示す。ペイロードは固有のデータ内容またはパケット化されたフレーム本体であってもよいし、第2のMACフレームのアドレスビットは空または省略されている。
【００３９】
好適な例として、第2のリンク番号は第1のリンク番号と同一であり、または、第2のリンク番号は第1のリンク番号の特定位置の数値を変更することによって得られ、2つのステーションの識別子を識別するために使用され、2つのステーション間のデータパケットのフロー方向を示し、すなわち、データパケットが第2のステーションによって第1のステーションに送信されていることを示し、指示フィールドは第2のMACフレームが第2のリンク番号を搬送していることを示す。
【００４０】
第2のステーションは、第2のリンク番号で第2のMACフレームのアドレス1フィールドを満たしてもよいし、例えば、全てが1である、指示フィールドでアドレス2フィールドを満たしてもよい、指示フィールドが特定値である場合、それは第2のMACフレームが第2のリンク番号を搬送していることを示す。
【００４１】
実施形態によって提供されるセキュリティ識別子通信方法によれば、第1のステーションおよび第2のステーションは、通信のためのリンク番号を使用することによって、それらの識別子を識別し、さらに、実施形態におけるメッセージフレームは全て、2つのステーションの実MACアドレスを隠蔽または省略しており、それによって、ユーザが無線通信を使用する際の一定のプライバシー保護を改善する。
【００４２】
第2の実施形態
本発明の第2の実施形態はセキュリティ識別子通信のための第1のステーションを提供し、図3はそのステーションの概略構造図を示す。図3に示すように、ステーションは、以下のことを含む。
【００４３】
第1のMACフレームを第2のステーションに送信するように構成される送信モジュール、ここで、第1のMACフレームが第1のリンク番号および指示フィールドを搬送し、第1のリンク番号が第1のステーションおよび第2のステーションの識別子を識別するために使用され、指示フィールドは第1のMACフレームが第1のリンク番号を搬送していることを示す。
【００４４】
第2のステーションによって送信された第2のMACフレームを受信するように構成される受信モジュール、ここで、第2のMACフレームが第2のリンク番号および指示フィールドを搬送し、第2のリンク番号が第1のステーションおよび第2のステーションの識別子を識別するために使用され、指示フィールドは第2のMACフレームが第2のリンク番号を搬送していることを示す。
【００４５】
好適な例として、第1のステーションは、自身と第2のステーションとの間のリンクのために第1のステーションが第1のリンク番号を割り当てることを可能とする割り当てモジュールをさらに含む。
【００４６】
好適な例として、第2のリンク番号は第1のリンク番号と同一である、または、第2のリンク番号は第1のリンク番号の特定位置の数値を変更することによって得られる。
【００４７】
好適な例として、指示フィールドは、第1のMACフレームおよび/または第2のMACフレームのアドレスフィールドであってもよいし、指示フィールドが特定値に設定されている場合、それは第1のMACフレームおよび/または第2のMACフレームが第1のリンク番号を搬送していることを示す。
【００４８】
好適な例として、第1のMACフレームおよび/または第2のMACフレームはパケット化された伝送内容のペイロードを搬送し、ペイロードは固有のデータ内容またはパケット化されたフレーム本体である。
【００４９】
第1のMACフレームおよび第2のMACフレームは2つのステーションの実MACアドレスを隠蔽または省略しており、その結果、2つのステーションが通信をする場合、他のステーションは第1のMACフレームおよび第2のMACフレームを受信するので、その実MACアドレスが公開されていないことに留意されたい。
【００５０】
第3の実施形態
本発明の第3の実施形態はセキュリティ識別子通信のための第2のステーションを提供し、図4はそのステーションの概略構造図を示す。図4に示すように、ステーションは、以下のことを含む。
【００５１】
第1のステーションによって送信された第1のMACフレームを受信するように構成される受信モジュール、ここで、第1のMACフレームが第1のリンク番号および指示フィールドを搬送し、第1のリンク番号が第1のステーションおよび第2のステーションの識別子を識別するために使用され、指示フィールドは第1のMACフレームが第1のリンク番号を搬送していることを示す。
【００５２】
第2のMACフレームを第1のステーションに送信するように構成される送信モジュール、ここで、第2のMACフレームが第2のリンク番号および指示フィールドを搬送し、第2のリンク番号が第1のステーションおよび第2のステーションの識別子を識別するために使用され、指示フィールドは第2のMACフレームが第2のリンク番号を搬送していることを示す。
【００５３】
好適な例として、第2のステーションは、割り当てモジュールをさらに含み、ここで、割り当てモジュールは自身と第1のステーションとの間のリンクのために第2のステーションが第1のリンク番号を割り当てることができるように構成される。
【００５４】
好適な例として、第2のリンク番号は第1のリンク番号と同一である、または、第2のリンク番号は第1のリンク番号の特定位置の数値を変更することによって得られる。
【００５５】
好適な例として、指示フィールドは第1のMACフレームおよび/または第2のMACフレームのアドレスフィールドであってもよいし、指示フィールドが特定値である場合、それは第1のMACフレームおよび/または第2のMACフレームが第1のリンク番号を搬送していることを示す。
【００５６】
好適な例として、第1のMACフレームおよび/または第2のMACフレームはパケット化された伝送内容のペイロードを搬送し、ペイロードは固有のデータ内容またはパケット化されたフレーム本体である。
【００５７】
第4の実施形態
本発明の第4の実施形態はセキュリティ識別子通信システムを提供し、図5はステーションの概略構造図を示す。図5に示すように、システムは、第2の実施形態の第1のステーションと、3の実施形態の第2のステーションとを含む。
【００５８】
また、システムは、第2の実施形態およびその好適な実施形態の第1のステーションと、第3の実施形態およびその好適な実施形態の第2のステーションとを含む。
【００５９】
本発明に関係する当業者は、記載上の便宜と簡易のために、上述したデバイスおよびユニットの特定の作業プロセスが上述した方法の実施形態の対応するプロセスを参照してもよいし、本明細書で冗長に繰り返さないこともある、ことを明確に理解され得る。
【００６０】
本発明によって提供されるいくつかの実施形態においては、記載したデバイスおよび方法が、他の様式において実装されてもよいことを理解されたい。例えば、上述したデバイス実施形態は、例えば、ユニットの区分が論理機能区分のみであるなどの、単なる例示に過ぎず、他の区分様式が、例えば、複数のユニットまたはコンポーネントが別のシステムと組み合わせまたは統合されてもよい、実際の実装においては存在してもよい、またはいくつかの特徴が、省略または実装されなくてもよい。別の観点により、図示したまたは上述した相互連結または直接連結または通信接続が、いくつかのインターフェースを介したデバイスまたはユニットの間接的連結または通信接続であってもよいし、電気的、機械的または他の形式におけるものであってもよい。
【００６１】
別のコンポーネントとして記載したユニットは、物理的に分離されてもよいし、されなくてもよい、ユニットとして図示されたコンポーネントは、物理ユニットであってもよいし、なくてもよい、すなわち、1つの場所に配置されてもよいし、複数のネットワークユニットに分散されてもよい。ユニットの一部または全ては、実際の要求に従って実施形態の目的を実現するように選択され得る。
【００６２】
加えて、本発明の実施形態における機能ユニットは、処理ユニットに統合されてもよいし、ユニットが、物理的に個々に存在したり、または2つまたはそれ以上のユニットが、1つのユニットに統合されたりもする。上述した統合ユニットは、ハードウェアの形式において実装されてもよいし、ソフトウェア機能ユニットの形式において実装されてもよい。
【００６３】
統合ユニットが、ソフトウェア機能ユニットの形式において実装され、独立した製品として販売または使用されている場合、コンピュータ可読記憶媒体に記憶されていてもよい。この理解に基づいて、本発明の技術的解決法は先行技術に相当または一部貢献し、もしくは、全てまたは一部の技術的解決法がソフトウェア製品の形式において実装されてもよいし、コンピュータソフトウェア製品が記憶媒体に記憶され、コンピュータ装置(パーソナルコンピュータ、サーバ、またはネットワーク装置などであってもよい)が本発明の実施形態における全てまたは一部の方法を実行できるようにする複数の命令を備える。前述の記憶媒体は、USBディスク、モバイルハードディスク、リードオンリーメモリ(ROM、Read-Only Memory)、ランダムアクセスメモリ(RAM、Random Access Memory)、磁気ディスク、光学ディスクなどのプログラムコードを記憶できる様々なメディアを含む。
【００６４】
前述の記載は、当業者が本発明を理解または実装できるようにするための本発明の好適な実施形態に過ぎない。これらの実施形態の様々な変更は当業者にとって明白であり、本出願において定義された一般的原理は本発明の精神または範囲から逸脱することなく他の実施形態に実装されてもよい。したがって、本発明は、本出願において記載されたこれらの実施形態に限定されず、本出願において記載された原理および格別な特徴と一致する最も広い範囲に適合する。
【符号の説明】
【００６５】
S201  第1のステーションが自身と第2のステーションとの間のリンクのために第1のリンク番号を割り当てる
S202  第1のMACフレームを送信する
S203  第2のMACフレームを送信する
【図１】
2015519784.tif 000005
【図２】
2015519784.tif 000006
【図３】
2015519784.tif 000007
【図４】
2015519784.tif 000008
【図５】
2015519784.tif 000009
【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
セキュリティ通信方法であって、
第1のステーションが、第1の媒体アクセス制御(MAC)フレームを第2のステーションに送信するステップであって、前記第1のMACフレームが第1のリンク番号および指示フィールドを搬送し、前記第1のリンク番号が前記第1のステーションおよび前記第2のステーションの前記識別子を識別するために使用され、前記指示フィールドは前記第1のMACフレームが前記第1のリンク番号を搬送していることを示す、ステップと、
前記第1のステーションが、前記第2のステーションによって送信された第2のMACフレームを受信するステップであって、前記第2のMACフレームが第2のリンク番号および指示フィールドを搬送し、前記第2のリンク番号が前記第1のステーションおよび前記第2のステーションの前記識別子を識別するために使用され、前記指示フィールドは前記第2のMACフレームが前記第2のリンク番号を搬送していることを示す、ステップと
を含む、ことを特徴とする請求項1に記載の方法。
【請求項２】
前記第1のリンク番号が、前記第1のステーションと前記第2のステーションとの間のリンクのために前記第1のステーションによって割り当てられ、または前記第2のステーションと前記第1のステーションとの間のリンクのために前記第2のステーションによって割り当てられ、または前記第1のステーションと前記第2のステーションとの間のリンクのために第3のステーションによって割り当てられる、ことを特徴とする請求項1に記載の方法。
【請求項３】
前記第2のリンク番号が前記第1のリンク番号と同一である、または、前記第2のリンク番号が前記第1のリンク番号の特定位置の前記数値を変更することによって得られる、ことを特徴とする請求項1に記載の方法。
【請求項４】
前記指示フィールドが、前記第1のMACフレームおよび/または前記第2のMACフレームのアドレスフィールドであり、前記指示フィールドが特定値に設定されている場合、前記指示フィールドは前記第1のMACフレームおよび/または前記第2のMACフレームが前記第1のリンク番号を搬送していることを示す、ことを特徴とする請求項1に記載の方法。
【請求項５】
セキュリティ通信方法であって、
第2のステーションが、第1のステーションによって送信された第1の媒体アクセス制御(MAC)フレームを受信するステップであって、前記第1のMACフレームが第1のリンク番号および指示フィールドを搬送し、前記第1のリンク番号が前記第1のステーションおよび前記第2のステーションの前記識別子を識別するために使用され、前記指示フィールドは前記第1のMACフレームが前記第1のリンク番号を搬送していることを示す、ステップと、
前記第2のステーションが、第2のMACフレームを前記第1のステーションに送信するステップであって、前記第2のMACフレームが第2のリンク番号および指示フィールドを搬送し、前記第2のリンク番号が前記第1のステーションおよび前記第2のステーションの前記識別子を識別するために使用され、前記指示フィールドは前記第2のMACフレームが前記第2のリンク番号を搬送していることを示す、ステップとを含む、ことを特徴とする方法。
【請求項６】
前記第1のリンク番号が、前記第1のステーションと前記第2のステーションとの間のリンクのために前記第1のステーションによって割り当てられ、または前記第2のステーションと前記第1のステーションとの間のリンクのために前記第2のステーションによって割り当てられ、または前記第1のステーションと前記第2のステーションとの間のリンクのために第3のステーションによって割り当てられる、ことを特徴とする請求項5に記載の方法。
【請求項７】
前記第2のリンク番号が前記第1のリンク番号と同一である、または、前記第2のリンク番号が前記第1のリンク番号の特定位置の前記数値を変更することによって得られる、ことを特徴とする請求項5に記載の方法。
【請求項８】
前記指示フィールドが、前記第1のMACフレームおよび/または前記第2のMACフレームのアドレスフィールドであり、前記指示フィールドが特定値に設定されている場合、前記指示フィールドは前記第1のMACフレームおよび/または前記第2のMACフレームが前記第1のリンク番号を搬送していることを示す、ことを特徴とする請求項5に記載の方法。
【請求項９】
第1の媒体アクセス制御(MAC)フレームを第2のステーションに送信するように構成される送信モジュールであって、前記第1のMACフレームが第1のリンク番号および指示フィールドを搬送し、前記第1のリンク番号が前記第1のステーションおよび前記第2のステーションの前記識別子を識別するために使用され、前記指示フィールドは前記第1のMACフレームが前記第1のリンク番号を搬送していることを示す、送信モジュールと、
前記第2のステーションによって送信された第2のMACフレームを受信するように構成される受信モジュールであって、前記第2のMACフレームが第2のリンク番号および指示フィールドを搬送し、前記第2のリンク番号が前記第1のステーションおよび前記第2のステーションの前記識別子を識別するために使用され、前記指示フィールドは前記第2のMACフレームが前記第2のリンク番号を搬送していることを示す、受信モジュールと
を含む、ことを特徴とするセキュリティ識別子通信ための第1のステーション。
【請求項１０】
前記第1のステーションが、割り当てモジュールであって、前記第1のステーションと前記第2のステーションとの間のリンクのために前記第1のステーションが前記第1のリンク番号を割り当てることができるように構成される、割り当てモジュールをさらに含む、ことを特徴とする請求項9に記載の第1のステーション。
【請求項１１】
前記第2のリンク番号が前記第1のリンク番号と同一である、または、前記第2のリンク番号が前記第1のリンク番号の特定位置の前記数値を変更することによって得られる、ことを特徴とする請求項9に記載の第1のステーション。
【請求項１２】
前記指示フィールドが、前記第1のMACフレームおよび/または前記第2のMACフレームのアドレスフィールドであり、前記指示フィールドが特定値に設定されている場合、前記指示フィールドは前記第1のMACフレームおよび/または前記第2のMACフレームが前記第1のリンク番号を搬送していることを示す、ことを特徴とする請求項11に記載の第1のステーション。
【請求項１３】
第1のステーションによって送信された第1の媒体アクセス制御(MAC)フレームを受信するように構成される受信モジュールであって、前記第1のMACフレームが第1のリンク番号および指示フィールドを搬送し、前記第1のリンク番号が前記第1のステーションおよび前記第2のステーションの前記識別子を識別するために使用され、前記指示フィールドは前記第1のMACフレームが前記第1のリンク番号を搬送していることを示す、受信モジュールと、
第2のMACフレームを前記第1のステーションに送信するように構成される送信モジュールであって、前記第2のMACフレームが第2のリンク番号および指示フィールドを搬送し、前記第2のリンク番号が前記第1のステーションおよび前記第2のステーションの前記識別子を識別するために使用され、前記指示フィールドは前記第2のMACフレームが前記第2のリンク番号を搬送していることを示す、送信モジュールと
を含む、ことを特徴とするセキュリティ識別子通信のための第2のステーション。
【請求項１４】
前記第2のステーションが、割り当てモジュールであって、前記第2のステーションと前記第1のステーションとの間のリンクのために前記第2のステーションが前記第1のリンク番号を割り当てることができるように構成される、割り当てモジュールをさらに含む、ことを特徴とする請求項13に記載の第2のステーション。
【請求項１５】
前記第2のリンク番号が前記第1のリンク番号と同一である、または、前記第2のリンク番号が前記第1のリンク番号の特定位置の前記数値を変更することによって得られる、ことを特徴とする請求項13に記載の第2のステーション。
【請求項１６】
前記指示フィールドが、前記第1のMACフレームおよび/または前記第2のMACフレームのアドレスフィールドであり、前記指示フィールドが特定値に設定されている場合、前記指示フィールドは前記第1のMACフレームおよび/または前記第2のMACフレームが前記第1のリンク番号を搬送していることを示す、ことを特徴とする請求項15に記載の第2のステーション。
【国際調査報告】
2015519784.tif 000010
2015519784.tif 000011
2015519784.tif 000012
2015519784.tif 000013